(57)【要約】【解決手段】同じ周波数バンドで動作される他のセルからの干渉量を低減することができる「時分割」送信スキーム。システムの各セルが指定された時間間隔（例えばタイムスロット）で送信し、その期間、他の干渉するセルは送信することが防止される。指定されたタイムスロットの期間、干渉するセルからの送信を一時的に「空白化」することにより、これらのセルからの干渉量が低減される。改良された信号品質は、所望のまたはより高いデータレートで送信をサポートすることができ、これは、セルの空白化なしでは可能ではない。一変形例において、セルからの送信は異なるタイムスロットにわたって互い違いにされる。１つ以上のセルのセットは、多数のスロット位相の各々において、送信するように指定することができる。干渉を低減するために、セルは、これらの位相で互い違いの方法で送信する。送信スキームは種々のチャネルタイプ（例えば制御チャネル）およびアプリケーションのために使用することができる。
2004531124.tif 000002
【特許請求の範囲】
【請求項１】
スペクトラム拡散通信システムにおいて、下記を具備する、複数の送信ソースからデータを送信するための方法：
データ送信のためのタイムスロットを定義する、各タイムスロットは、特定の時間間隔に相当する；
各タイムスロットを１つ以上の送信ソースに割当てる；および
前記複数の送信ソースの各々が割当てられたタイムスロットでデータを送信することを可能にする。
【請求項２】
前記タイムスロットは複数のＮ位相に関連し、前記割当ては、特定の時間分１つ以上の送信ソースのそれぞれのセットにＮ位相の各々を割当てることを具備する、請求項１の方法。
【請求項３】
前記データ送信が少なくとも特定の時間分時間的に重ならないように複数の送信ソースからデータ送信を互い違いにすることをさらに具備する、請求項３の方法。
【請求項４】
前記互い違いの量は前記複数の送信ソースからのデータ送信のデータレートに依存する、請求項３の方法。
【請求項５】
少なくとも１つの送信ソースを獲得するために特定レベルの干渉を決定する；および
前記干渉に貢献する１つ以上の干渉送信ソースを識別する；
をさらに具備し、前記割当ては、前記少なくとも１つの送信ソースに対して特定のレベルの干渉を得るために実行される、請求項１の方法。
【請求項６】
送信されるデータは、通信システム内の制御チャネルのためである、請求項１の方法。
【請求項７】
下記を具備する、無線通信システムにおいて、複数のセルからのデータを送信するための方法：
データ送信のためのタイムスロットを定義する、各タイムスロットは所定の時間間隔に対応する；
前記タイムスロットをＮ位相と関連づける、Ｎは１より大きい；
前記Ｎ位相のおのおのを、所定の時間分、それぞれのセットの１つ以上のセルに割当てる；および
前記セルに割当てられた１つ以上の位相で、前記複数のセルの各々でデータ送信を可能にする。
【請求項８】
Ｎは４である、請求項７の方法。
【請求項９】
干渉を低減するために、前記複数のセルからのデータ送信を互い違いにすることをさらに具備する、請求項７の方法。
【請求項１０】
前記互い違いにすることは、特定の時間分前記複数のセルの各々を前記Ｎ位相の各々の１つに割当てることにより達成される、請求項９の方法。
【請求項１１】
トラヒックデータの送信のために使用される特定の互い違いのパターンを示すメッセージを送信することをさらに具備する、請求項９の方法。
【請求項１２】
前記互い違いの結果として、前記複数のセルからのデータ送信のデータレートを増大することをさらに具備する、請求項９の方法。
【請求項１３】
前記互い違いにする量は前記データ送信のために使用されるデータレートに基づいている、請求項９の方法。
【請求項１４】
各送信サイクル内で特定の数のタイムスロットを指定し、それにより、前記複数のセルからのデータ送信が互い違いになり、各送信サイクルは複数のタイムスロットを含む、請求項９の方法。
【請求項１５】
前記複数のセルの中から、過剰な干渉を経験する損害を与えられたセルを識別する；
過剰な干渉に貢献する１つ以上の干渉セルを識別する；および
前記１つ以上のセルを前記損害を与えられたセルに割当てられた位相と異なる位相に割当てる；
ことをさらに具備する、請求項７の方法。
【請求項１６】
１つ以上の位相を特定時間分特定のセルに割当てる；および
特定の時間分、前記複数のセルの残りのセルが前記特定のセルに割当てられた１つ以上の位相で送信することを防止する；
ことをさらに具備する、請求項７の方法。
【請求項１７】
１つ以上の位相を特定時間分特定のセルに割当てる；
前記特定のセルから、１つ以上の割当てられた位相で、特定のデータレートでデータを送信する；および
特定の時間分、前記複数のセルの残りのセルが前記特定のセルに割当てられた前記１つ以上の位相で送信することを防止し、前記セルが前記特定のデータレートで信頼できるデータ送信を達成することを可能にする；
ことをさらに具備する、請求項７の方法。
【請求項１８】
前記特定のデータレートは前記通信システムによりサポートされる最も低いデータレートである、請求項１７の方法。
【請求項１９】
前記複数のセルの少なくとも１つからのデータ送信は制御チャネルのためである、請求項７の方法。
【請求項２０】
前記制御チャネル上の各データ送信は前記データ送信に含まれるプリアンブルにより識別される、請求項１９の方法。
【請求項２１】
前記通信システムは、ＣＤＭＡ通信システムである、請求項７の方法。
【請求項２２】
下記を具備する、ＣＤＭＡ通信システム内の複数のセルからデータを送信するための方法：
データ送信のためにタイムスロットを定義する、各タイムスロットは所定の時間間隔に対応する；
前記タイムスロットを４つの異なる位相に関連づける、各連続するグループの４つのタイムスロットは４つの異なる位相にそれぞれ関連する４つのタイムスロットを含む；
前記４つの位相の各々を特定の時間分それぞれのセットの１つ以上のセルに割当てる、干渉を低減するために、前記複数のセルからのデータ送信が互い違いにされるように前記セルが位相に割当てられる；および
前記セルに割当てられた１つ以上の位相で前記複数のセルの各々において、データ送信を可能にする。
【請求項２３】
下記を具備する、無線通信システム内のアクセスポイント：
データパケットを受信し処理し、複数のスロットを供給するように構成されたデータプロセッサ；および
前記データプロセッサと動作可能に接続され、前記アクセスポイントに割当てられた複数のタイムスロットにわたって、前記複数のスロットの送信を方向づけ、前記アクセスポイントにより送信しないように指定された１つ以上のタイムスロットにわたって送信を防止するように構成されたコントローラ。
【請求項２４】
前記データパケットは、前記データパケットの送信のために割当てられた前記複数のタイムスロットのためのオフセットを示すフィールドを含む、請求項２３のアクセスポイント。
【発明の詳細な説明】
【技術分野】
【０００１】
背景
分野
［１００１］この発明はデータ通信システムに関する。特に、この発明はスペクトラム拡散通信システムのための新規で改良された送信スキームに関する。
【背景技術】
【０００２】
背景
［１００２］無線通信システムは、音声、データ等のような種々のタイプの通信を供給するために広範囲に展開されている。これらのシステムは、符号分割多重アクセス（ＣＤＭＡ）、時分割多重アクセス（ＴＤＭＡ）、またはその他のアクセス技術に基づくことができる。ＣＤＭＡシステムは、他のタイプのシステムに対して、増大されたシステム容量を含むある利点を供給する。
【０００３】
［１００３］ＣＤＭＡシステムは１つ以上のＣＤＭＡ標準をサポートするように設計することができる。例えば（１）「デュアルモード広帯域スペクトラム拡散セルラシステムのためのＴＩＡ／ＥＩＡ−９５−Ｂ移動局−基地局互換標準」（ＩＳ−９５標準）、（２）「デュアルモード広帯域スペクトラム拡散セルラ移動局のためのＴＩＡ／ＥＩＡ−９８−Ｃ推奨最小標準」（ＩＳー９８標準）、（３）「第三世代パートナーシッププロジェクト」（３ＧＰＰ）という名前が付けられた共同体により提供され、文献番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４を含む文献のセットにおいて具現化された標準（Ｗ−ＣＤＭＡ標準）、（４）「第三世代パートナーシッププロジェクト２」（３ＧＰＰ２）という名前がつけられた共同体により提供され、「ｃｄｍａ２０００スペクトラム拡散システムのためのＴＲ−４５．５物理層標準」、「ｃｄｍａ２０００スペクトラム拡散システムのためのＣ．Ｓ０００５−Ａ  上層（層３）信号伝達標準」、および「高レートパケットデータ大気中インターフェース仕様」（ｃｄｍａ２０００標準）および（５）その他の標準がある。これらの標準は参照することによりここに組み込まれる。ｃｄｍａー２０００標準の高レートパケットデータ仕様を実施するシステムはここでは、高データレート（ＨＤＲ）システムと呼ばれる。
【０００４】
［１００４］ＣＤＭＡシステムにおいて、利用可能なセルのより良い利用を達成するために、システム内のセルは、共通の周波数バンド（すなわち、１の周波数再使用、すなわちＫ＝１に対して）上に送信するように動作することができる。このシステムの場合、各アクセスポイント（すなわち、基地局）からの送信は、他のアクセスポイントからの送信に対する干渉として作用する。干渉は、セル間の境界または境界付近に位置するアクセス端末（すなわち，遠隔端末）により受信される送信の場合、特に厳しい。干渉は、また、仮にあったとしても、ＨＤＲシステムのような全出力でまたは全出力付近で送信するように設計されたシステムにおいても悪くなるかもしれない。
【０００５】
［１００５］高レベルの干渉を経験する損害を与えられたアクセス端末へのユーザ固有のデータ送信の場合、送信のデータレートは、所望のレベルの性能（例えば１パーセントパケットエラーレート）に対して要求された信号品質を達成するために、低減されるかもしれない。しかしながら、メッセージをセル内の多数のアクセス端末に送信するように設計された、制御チャネルまたはブロードキャストチャネルのようなオーバーヘッドチャネルの場合、個々のアクセス端末により経験される動作条件に基づいてオーバーヘッドチャネルに関してデータレートを調節することは一般的には実用的でない。一般に、セル内の大部分のアクセス端末によりオーバーヘッドチャネルが正しく受信できるように、十分に低いデータレートが選択される。例えばＨＤＲシステム内の制御チャネルは３８．４ｋｂｐｓまたは７６．８ｋｂｐｓの低データレートで送信され、トラフィックチャネルはリンク条件に応じて、３８．４ｋｂｐｓないし２，４５７６Ｍｂｐｓの範囲のデータレートで送信することができる。
【０００６】
［１００６］ある場合に、最も低いシステムデータレート（例えば、３８．４ｋｂｐｓ）における送信は、他のセルからの過剰な干渉により、損害を与えられたアクセス端末により正しく受信されないかもしれない。ある他の例において、オーバーヘッドチャネルをより高いデータレートで送信することは好都合かもしれない（例えば、増大した送信容量をオーバーヘッドチャネルに供給するため、オーバーヘッドチャネルに送信された制御メッセージの遅延または待ち時間を低減するため、トラヒックチャネルへのデータ送信が制御メッセージに依存するなら、トラヒックチャネルへのデータ送信をより早く開始可能にするため、等）。
【０００７】
［１００７］以上のように、ＣＤＭＡ通信システムにおいて、干渉を低減するために使用することができ、特定の所望のデータレート（例えば、最も低いシステムデータレートまたはより高いデータレート）をサポートすることができる送信スキームが大いに望まれる。
【発明の開示】
【課題を解決するための手段】
【０００８】
［１００８］この発明は、同じ周波数バンドで動作する他のセルからの干渉量を低減することができる「時分割」の送信スキームを提供する。この送信スキームに従って、システム内の各セルは、指定された時間間隔（またはタイムスロット）で送信し、その期間、他の干渉しているセルは送信ができないようにすることができる。指定されたタイムスロットの期間、干渉しているセルからの送信を一時的に「無効にする」ことにより、これらのセルからの干渉量が低減される。送信しているセルにおける改良された信号品質は、所望のデータレートまたはより高いデータレートでシグナリング（例えばメッセージ）およびデータの送信をサポートすることができ、これは、干渉しているセルを無効にすることなく可能にはならないかもしれない。時分割の送信スキームは他のセルからの干渉量を低減するために「時間の再使用」を効率的に実施する。
【０００９】
［１００９］ここでは、「互い違い」送信スキームと呼ばれる時分割の送信スキームの変形において、セルからの送信は互い違いタイムスロットを介して生じる。このスキームにおいて、第１のセットの１つ以上のセルを１つのタイムスロットで送信するように指定することができ、第２のセットの１つ以上のセルを次のタイムスロットにおいて送信するように指定することができる、等々である。１つの特定の実施において、利用可能なタイムスロットは４つの異なる位相（例えば位相０、１、２、および３）に関連する。セルは、これらの４つの位相に関して互い違いの態様で送信するように指定することができる。各位相（および互い違い量）で送信するように指定されたセルのセットは、干渉の必要な低減を達成するように選択され、選択されたデータレートで指定された信号品質を供給する。
【００１０】
［１０１０］時分割送信スキーム（および互い違い送信スキーム）は時間再使用スキームを実施するために使用することができる。時間再使用スキームは、周波数再使用スキームの性能と対比しうる性能を提供することができる。例えば、時間再使用要因は、（例えばシステムの動作条件および必要性に基づいて）弾力的に選択することができ、所望の結果を得るために動的に調節される。時分割送信スキームが適用される時間分もまた弾力的に選択することができる（例えば、統計的にシステムにより選択される）。
【００１１】
［１０１１］時分割された（および互い違いにされた）送信スキームは、制御チャネル、トラヒックチャネル、ブロードキャストチャネル、あるいはその他のチャネルタイプに対して有利に使用することができる。この送信スキームは、システムのための周波数再使用要因が低い（例えばＫ＝１）とき特に有利であり、種々のアプリケーションおよびシナリオに対して使用することができる。例えば送信スキームは、干渉の低減無くしては、サポートされないであろう特定のデータレート（例えば、最も低いデータレートまたはより高いデータレート）をサポートするために、干渉低減するために使用することができる。このスキームもまた、可変レート制御チャネル、高レートブロードキャストチャネル、等を供給するために使用することができる。このスキームはさらに、主な干渉しているセルを（一時的）に無効にすることにより、損害が与えられたアクセス端末に送信するために使用することができる。時分割の送信スキームのための種々の他のアプリケーションも可能である。
【００１２】
［１０１２］この発明は、以下にさらに詳細に記載したこの発明の種々の観点、実施の形態、および特徴を実施する方法およびシステムエレメントを提供する。
【発明を実施するための最良の形態】
【００１３】
［１０１３］この発明の特徴、性質および利点は、同一部に同符号を付した図面と共に以下に述べる詳細な記載からより明白になるであろう。
【００１４】
［１０２４］図１は多数のユーザをサポートし、この発明の種々の観点を実施することができる無線通信システム１００の図である。システム１００は多数の地理的領域１０２ａ乃至１０２ｇに対して通信を供給し、各地理的領域１０２は対応するアクセスポイント１０４（これは基地局とも呼ばれる）によりサービスされる。アクセスポイントとそのカバー領域は、しばしば集合的に「セル」と呼ばれる。
【００１５】
［１０２５］種々のアクセス端末１０６（これは遠隔端末または移動局とも呼ばれる）がシステムの全体にわたって分散される。一実施の形態において、各アクセス端末１０６は、いつなんどきでも、順方向リンクを介して１つのアクセスポイントと通信することができ、アクセス端末がソフトハンドオフ状態にあるかどうかに応じて逆方向リンクを介して１つ以上のアクセスポイントと通信することができる。順方向リンク（すなわちダウンリンク）はアクセスポイントからアクセス端末への送信に言及し、逆方向リンク（すなわちアップリンク）はアクセス端末からアクセスポイントへの送信に言及する。システム１００は、１つ以上のＣＤＭＡ標準および／または設計（例えば、ｃｄｍａ２０００標準）をサポートするように指定することができる。
【００１６】
［１０２６］図１において、矢印のついた実線は、アクセスポイントからアクセス端末へのユーザ固有のデータを示す。矢印のついた破線は、アクセス端末がパイロットリファレンスおよび他のシグナリングを受信しているが、アクセスポイントからのユーザ固有のデータ送信を受信していないことを示す。図１に示すように、アクセスポイント１０４ａは順方向リンクを介してデータをアクセス端末１０６ａに送信し、アクセスポイント１０４ｂはデータをアクセス端末１０６ｂに送信し、アクセスポイント１０４ｃはデータをアクセス端末１０６ｃに送信する等々である。アップリンク通信は、簡単のために図１に示されていない。
【００１７】
［１０２７］図２Ａは通信システムの図であり、セルは同じ周波数バンド（すなわち１の周波数再使用係数、すなわちＫ＝１）で動作する。各セルは、一般的にシステムオペレータにより指定される特定の（例えばセルラまたはＰＣＳの）周波数バンドで送信するように動作する。２以上のセルが同じ周波数バンド（例えば、９００ＭＨｚ）で動作するなら、１つのセルからの送信はシステム内の他のセルからの送信に対して干渉として作用する。（図１におけるアクセス端末１０６ｄのような）セル境界またはセル境界付近に位置するアクセス端末の場合、隣接するセルからの干渉は、アクセス端末において受信したデータ送信の信号品質を低下させる。この結果、このアクセス端末への送信のデータレートは、所望のレベルの性能（例えば１パーセントパケットエラーレート）を得るために低減する必要がある。
【００１８】
［１０２８］図２Ｃは干渉量を低減するために、異なる周波数バンドでセルが動作される通信システムの図である。図２Ｃに示すように、７（Ｋ＝７）の周波数再使用係数の場合、セル１乃至７はそれぞれ周波数バンドＦ１乃至Ｆ７で動作される。各セル（例えばセル４）の周囲の６つの隣接するセルは中心セルの周波数と異なる周波数で動作されるので、中心セルからデータ送信を介してこれらの隣接するセルからの干渉量は最小（または基本的に何もない）。図２Ｃに示すレイアウト内の特定のセル（例えばセル１）の場合、帯域内干渉は、セルの周囲の第３のリング内に位置するセルからである（すなわち、第１のリングは、セル２，３，および４から構成され、第２のリングは、セル５，６，および７から構成される）。干渉しているセルへの距離の方が長いので、これらのセルからの干渉は大幅に低減され、より高いデータレートがセル１によりサポートすることができる。
【００１９】
［１０２９］図２Ｂは３の周波数再使用係数（Ｋ＝３）を用いて動作される通信システムの図である。この場合もやはり、図示したレイアウトの場合、セル４の周囲の６つの隣接するセルがセル４の周波数と異なる周波数で動作され、セル４からの送信に関して、これらの隣接するセルからの干渉量も最小である。特定のセル（例えばセル１）の場合、帯域内干渉はそのセルの周囲の第２のリング内に位置するセルからであり、これらのセルからの干渉は１の周波数再使用係数に対する干渉に対して低減される。
【００２０】
［１０３０］図２Ａ乃至図２Ｃに示すように、同じ周波数バンドで動作するセル間の距離は増大する周波数再使用係数とともに増大する。距離が増加すると、高い再使用係数に対してセル間の干渉が減少する。しかしながら、各利用可能な周波数バンドは平均して１／Ｋ時間だけ使用され、またはＫ周波数バンドはシステムをサポートするために必要なので、高い再使用係数（例えば、図２ＣのＫ＝７）はさらなる帯域幅を必要とする。利用可能なリソースの改良された利用の場合、ＣＤＭＡシステムは、１の周波数再使用係数（すなわちＫ＝１）で動作することができ、その場合、システム内のセルはすべて同じ周波数バンド上で送信する。より高いレベルの干渉は、同じ周波数バンドを用いるセルに原因する。
【００２１】
［１０３１］この発明の１つの観点は、同じ周波数バンドで動作される他のセルからの干渉量を低減することができる「時分割の」送信スキームを提供する。この送信スキームに従って、システム内の各セルは指定された時間間隔（またはタイムスロット）で送信する。その時間間隔の間、干渉しているセルは、送信することができないようにすることができる。その指定された時間間隔の期間干渉しているセルからの送信を一時的に「無効」にすることにより、これらのセルからの干渉量が減少される。送信しているセル内の改良された信号品質は、シグナリング（例えば、メッセージ）の送信をサポートすることができ、所望のデータレートまたはより高いデータレートでデータの送信をサポートすることができる。これは、干渉しているセルを無効にしなければ可能ではない。時分割の送信スキームは、他のセルからの干渉量を低減するために、「時間の再使用」を効率的に実施する。
【００２２】
［１０３２］ここでは、「互い違い」送信スキームと呼ばれる時分割送信スキームの一変形において、セルからの送信は互い違いにされるタイムスロットを介して生じる。このスキームにおいて、第１のセットの１つ以上のセルは、１タイムスロットで送信するために指定することができ、第２のセットの１つ以上のセルは、次のタイムスロットで送信するために指定することができ、等々である。各タイムスロットで送信するために指定されるセルのセットは、所望の信号品質を供給するために、必要な干渉の低減を得るために選択することができる。
【００２３】
［１０３３］図３、は同じ周波数バンドで動作しているセルからの干渉量を低減するために使用することができる互い違い送信スキームの一実施の形態のタイミング図である。図３に示すように、データ送信はタイムスロットで生じ、各タイムスロットは特定の時間間隔（例えば、ＨＤＲシステムの場合１．６６７ｍｓｅｃ）をカバーする。特定の実施の形態において、タイムスロットは０乃至３の番号が付けられた４つの異なる「位相」を用いて指定される。異なる数の位相（例えば、２、８、等）も使用することができ、この発明の範囲内である。
【００２４】
［１０３４］一実施の形態において、各セルは特定の時間期間、ゼロ以上の位相で送信するように指定される。図３に示す例の場合、セル１は位相で送信するように指定され、セル２は位相１で送信するように指定され、セル３は位相２で送信するように指定され、およびセル４は位相３で送信するように指定される。他のセルもこれらの位相のいずれか１つに送信するように許容される。例えば、セル５および６も位相０で送信するように指定することができ、およびセル７は位相１で送信するように指定することができる。
【００２５】
［１０３５］簡単のために、この発明の種々の観点と実施の形態はＨＤＲシステムの制御チャネルのための特定の実施の場合について記載する。
【００２６】
［１０３６］図４はＨＤＲシステムにより定義される送信フォーマットの図である。図４に示すように、データとシグナリングはスロットで送信される。各スロットは特定の時間間隔をカバーする（例えば、ＨＤＲシステムに対して１．６６７ｍｓｅｃ）。各「アクティブ」スロットは２つのハーフスロットに分割される。各ハーフスロットは、パイロットバースト４１４により分離された２つのデータパーティション４１２を含む。データパーティション４１２はユーザ固有のデータおよびシグナリングを送信するために使用することができ、パイロットバースト４１４はパイロットリファレンスを送信するために使用することができる。
【００２７】
［１０３７］第１の（すなわち左の）ハーフスロットは、パイロットバースト４１４ａにより分離されたデータパーティション４１２ａおよび４１２ｂを含み、および第２（すなわち、右の）ハーフスロットはパイロットバースト４１４ｂにより分離されたデータパーティション４１２ｃおよび４１２ｄを含む。各パイロットバーストの幅は種々の因子に基づいて選択することができる。ＨＤＲシステムにより定義されるように、各パイロットバーストは、９６チップの特定のデータパターン（例えばオールゼロデータ）から構成される。第２ハーフスロットはさらに、パイロットバースト４１４ｂの両側に配置された２つのシグナリングバースト４１６ａおよび４１６ｂを含み、シグナリングチャネルを実施するために使用される。シグナリングチャネルは、スロットがアクティブのとき逆方向電力制御（ＲＰＣ）情報を送信するために使用することができ、スロットがアイドルのとき、メディアアクセス制御（ＭＡＣ）情報を送信するために使用することができる。ＲＰＣ情報は、受信アクセスポイントにおいて、所望の信号品質を得るために、アクセス端末にその送信電力を上昇または下降することを指示するために送信される。
【００２８】
［１０３８］図４に示すように、各「アイドル」スロットはまた２つのハーフスロットに分割され、各ハーフスロットはまた同じ幅（例えば９６チップ）の１つのパイロットバースト４１４を含み、アクティブスロットについては、ハーフスロット内の同じ位置に設置される。アイドルスロットのためのパイロットバーストは必須的にアクティブスロットのためのパイロットバーストと区別できない。２つのスカートがアイドルスロットの第１ハーフスロット内のパイロットバースト４１４ａの両側に位置し、および２つのシグナリングバースト４２０ａおよび４２０ｂが第２ハーフスロットのパイロットバースト４１４ｂの両側に配置される。スカート４１８ａおよび４１８ｂはブランク（または無し）送信とパイロット送信との間の遷移期間を供給するために使用される。遷移期間は、パイロットリファレンスが、（例えば、９６チップの）パイロットバーストの期間定常状態値に到達するまたは定常状態値付近にあることを可能にする。
【００２９】
［１０３９］ＨＤＲシステムにおいて、ＭＡＣ層は、システムによりサポートされる、制御チャネル、アクセスチャネル、順方向トラヒックチャネル、および逆方向トラヒックチャネルの動作を支配する規則を供給する。中でも、ＭＡＣ層は、（１）１つ以上（より高い層の）セキュリティ層パケットから制御チャネルＭＡＣ層パケットを構築し、および（２）（ａ）制御チャネルに関するアクセスネットワーク送信とパケットスケジューリング、（ｂ）アクセスチャネル上でのアクセス端末獲得、および（ｃ）アクセス端末制御チャネルＭＡＣ層パケット受信に関する規則を含む、制御チャネルＭＡＣプロトコルを含む。
【００３０】
［１０４０］図５は、１つのアクセスポイントからの制御情報を１つ以上のアクセス端末に送信するために使用される制御チャネルＭＡＣ層パケット５００の実施の形態のブロック図である。図５に示すように、パケット５００は制御チャネル（ＣＣ）ヘッダ５１２、関連するＭＡＣ層ヘッダ５１４を有するゼロまたはそれ以上のセキュリティ層パケット５１６（図５において２つのセキュリティ層パケットが示される）、パッドフィールド５１８、および予約フィールド５２０を含む。一実施の形態において、ＣＣヘッダ５１２は、以下にさらに詳細に記載するように、パケットに割当てられた特定のスロット「位相」または「オフセット」を示す情報を含む。各セキュリティ層パケット５１６およびその関連するＭＡＣ層ヘッダ５１４は特定のアクセス端末に向けられたメッセージを含む。パッドフィールド５１８は未使用のビット位置をパケット５００内に充填するために使用される。そして、予約フィールド５２０は将来の使用のために予約された１以上のビットを含む。一実施の形態において、各制御チャネルＭＡＣ層パケットは特定の固定数のビット（例えば、ＨＤＲシステムの場合１０２４ビット）を含む。
【００３１】
［１０４１］各制御チャネルＭＡＣ層パケット５００は処理され（例えば、符号化され、インターリーブされ、および変調され）、多数のデータ変調記号を供給する。ＨＤＲシステムの場合、各データ変調記号は、ＱＰＳＫ、８−ＰＳＫまたは１６−ＱＡＭ変調のために使用される同相（Ｉ）成分と直交（Ｑ）成分を含む複素値を表す。ＨＤＲシステムにおいて、使用される変調タイプは、パケットを送信するために使用されるデータレートに依存する。データ変調記号はさらに処理され（例えば、反復され／パンクチャされ、チャネル化され、およびカバーされる）、他の情報（例えば、パイロット、ＲＰＣおよびＭＡＣ）と時分割多重化され、図４に示すフォーマットを持つ多数のスロットを形成する。
【００３２】
［１０４２］表１はこの発明の送信スキームを用いて送信された制御チャネルによりサポートすることができる可能なデータレートのいくつかのための種々のパラメータをリストアップする。さらなるデータレートもサポートすることができるが、簡単のために表１には示さない。ＨＤＲシステムにおいて、各制御チャネルＭＡＣ層パケットは単一物理層パケットを介して送信される。次に、物理層パケットは１つ以上のスロットに分割される。スロットの数（列２）はパケット送信のために使用されるデータレート（列１）に依存する。各スロットは単一のタイムスロットを介して送信される。
【表１】
2004531124.tif 000003
［１０４３］表１にリストアップされたデータレートの場合、各制御チャネルＭＡＣ層パケットは処理され、２，５６０データ変調記号（列４）の系列を供給する。各データレートに対して、割当てられたスロットのデータパーティションのために多数のデータ変調記号が必要である（列５）。必要とされるデータ変調記号（列５）の数は、図示したデータレートのための系列内のデータ変調記号の数（列４）より大きいので、その系列は何度も完全に送信される（列６）。必要とされる数のデータ変調記号（列５）が得られるように、系列の一部分（列７）も送信される。従って、その系列は、そのパケットのために割当てられたスロットのデータパーティションにおいて多数回効率的に反復される（列８）。
【００３３】
［１０４４］表２はＨＤＲシステム内のいくつかのデータレートのための物理層パケットのための種々のパラメータをリストアップする。各物理層パケットは、列４にリストされたチップの合計数を持つスロットの数（列２）に対して送信される。パケットデータは、プリアンブル、パイロット、およびＭＡＣ情報と時分割多重化される。割当てられたスロット内のチップの合計数の中で、それぞれプリアンブル、パイロット、ＭＡＣ、およびパケットデータのためのチップの数が列５乃至８に示されている。
【表２】
2004531124.tif 000004
［１０４５］各可変レート送信に同期して、アクセス端末を補助するために、各物理層パケットの開始時にプリアンブルが付加される。プリアンブルは、特定の３２チップ陪直交系列を用いてカバーされるオールゼロの系列であり、変調された信号の同相成分に送信される。特定の３２ビット系列は６４の可能な３２−ビット系列から選択される。６４の可能な３２−ビット系列は、３２の３２進ウオルシュ関数およびそれらのビット単位の補数から構成される。この特定の３２−ビット系列は制御チャネルを識別するためにも使用され、および制御チャネルとともに時分割多重で送信することもできる１つ以上の順方向トラヒックチャネルから、アクセス端末がこの制御チャネルを区別可能にするために使用される。
【００３４】
［１０４６］プリアンブルの長さは、表２に示すように、送信のデータレートに依存する。３２−チッププリアンブル系列は、プリアンブルの割当てられたパーティションを充填するために多数回反復される。例えば、３８．４ｋｂｐｓデータレートの場合、３２−チッププリアンブル系列は３２回反復され１０２４プリアンブルチップを供給する。
【００３５】
［１０４７］図６Ａは、ＨＤＲシステムに従って、３８．４ｋｂｐｓデータレートに対して１６スロットを形成するために、パケットデータ、プリアンブル、パイロット、およびＭＡＣデータの時分割多重化を示す図である。図６Ａに示すように、第１のスロットは、以下の情報の系列を含む：（１）プリアンブルのための４００チップ、（２）パイロットおよびＭＡＣデータのための２２４チップ、（３）残りのプリアンブルのための他の６２４チップ、（４）第１のグループのデータ変調記号のための１７６チップ、（５）パイロットおよびＭＡＣデータのための他の２２４チップ、および（６）次のグループのデータ変調記号のための４００チップ。各それに続くスロット（すなわち、スロット２乃至１６）は、（１）データ変調記号のための４００チップ、（２）パイロットおよびＭＡＣデータのための２２４チップ、（３）データ変調記号のための他の８００チップ、（４）パイロットおよびＭＡＣデータのための他の２２４チップ、および（５）データ変調記号のための他の４００チップを含む。
【００３６】
［１０４８］上述したように、２５６０データ変調記号の系列は、３８．６ｋｂｐｓデ−タレートで、各制御チャネルＭＡＣ層パケットに対して発生される。その系列内のデータ変調記号は、スロットのデータパーティション内に最初の２５６０チップを充填するために使用される。その系列内の同じデータ変調記号は複製され、スロットのデータパーティション内の残りのチップを充填するために使用される。３８．４ｋｂｐｓの場合、２５６０データ変調記号の系列の９．６の複製を用いて、１６スロットのデータパーティションに２４，５７６チップを充填する。
【００３７】
［１０４９］図６Ｂは、ＨＤＲシステムに従って、７６．８ｋｂｐｓに対して８スロットを形成するために、パケットデータ、プリアンブル、パイロット、およびＭＡＣデータの時分割多重化を示す図である。図６Ｂに示すように、第１のスロットは以下の情報の系列を含む：（１）プリアンブルのための４００チップ、（２）パイロットおよびＭＡＣデータのための２２４チップ、（３）残りのプリアンブルのための他の１１２チップ、（４）第１グループのデータ変調記号のための６８８チップ、（５）パイロットおよびＭＡＣデータのための他の２２４チップ、および（６）次のグループのデータ変調記号のための他の４００チップ。各それに続くスロット（すなわちスロット２乃至８）は３８．４ｋｂｐｓの場合に上述したのと同じフォーマットを有する。この場合もやはり、制御チャネルＭＡＣ層パケットに対して発生された２５６０データ変調記号は、８スロットのデータパーティションに１２，２８８チップを充填するのに必要な回数だけ複製される。
【００３８】
［１０５０］図７はこの発明の時分割送信スキームを実施するために使用することができるマルチスロットインターレースパケット送信スキームの図である。図７に示す特定の例において、インターレース送信スキームは、順方向トラヒックチャネルに対して物理層パケットを送信するために使用される。最初に、データ送信のための要求がアクセス端末から受信される。これに応答して、１つ以上の物理層パケットがアクセスポイントにより発生され、タイムスロットｎにおいて開始するアクセス端末に送信される。
【００３９】
［１０５１］同期制御チャネルメッセージおよび非同期制御チャネルメッセージはアクセス端末に送信することができる。一般的に、非同期メッセージは、トラヒックチャネルに割当てられ、いつでもメッセージを聞いているアクセス端末に送信することができる。同期メッセージは、スリープモードにあり、メッセージを聞くために特定の時刻にウエークアップするように指定され、またはトラヒックチャネルを確立しようと試みているアクセス端末に周期的に送ることができる。
【００４０】
［１０５２］パケットを送信するために使用される各タイムスロットの場合、アクセス端末はスロットを受信し、処理し（例えば、デカバーし、復調し、デインターリーブし、および復号する）、さらに、パケットが正しく受信されたかどうかを決定する。上述したように、アクセス端末は、部分送信に基づいて送信されたパケットデータをリカバーすることができる。何故なら、そのパケットのためのデータ変調記号は、より低いデータレートに対して多数回反復されるからである。次に、アクセス端末は、パケットが成功裏に受信されたならアクセスポイントにアクノレジメント（ＡＣＫ）を送信し、そうでなければネガティブアクノレジメント（ＮＡＣＫ）を送信する。ＡＣＫがアクセス端末から受信されたなら、アクセスポイントはそのパケットに対し、残りのスロット（もしあれば）の送信を停止する。ＮＡＫが受信されたなら、アクセスポイントは、そのパケットのためのすべてのスロットが送信されるまで、引き続き物理層パケットのための次のスロットを送信する。
【００４１】
［１０５３］マルチスロットパケット送信の早期の終了を可能にするために、ハイブリッドアクノレジメント／リクエスト（Ｈ−ＡＲＱ）スキームが使用される。そのパケットのためのすべてのスロットが送信される前に肯定的なアクノレジメントが受信されたなら、残りの送信されていないスロットは送信されない。パケットが成功裏に受信される（すなわち復号の後のＣＲＣチェック）とすぐに、アクノレジメントがアクセス端末により送信される。
【００４２】
［１０５４］図７に示す実施の形態において、物理層パケットのために使用される２つの隣接するタイムスロット間に３つの介在するタイムスロットがあるように、マルチスロット物理層パケットの送信が「インターレース」される。他の物理層パケットのためのスロットは、この物理層パケットのために送信されたスロット間に３つの介在するタイムスロットで送信することができる。
【００４３】
［１０５５］図８は制御チャネルのための送信の一実施形態のタイミング図である。制御チャネルＭＡＣ層パケットは、同期カプセル（これは１つ以上のそのようなパケットをふくむことができる）または非同期カプセル（これは１つのパケットを含む）を介して送信することができる。同期カプセルおよび非同期カプセルは、制御チャネルサイクルの開始からの特定の「オフセット」（例えば、０、１、２、または３タイムスロット）において送信することができる。オフセットは、以下にさらに詳細に記載するように、制御チャネルＭＡＣ層パケット内のＣＣヘッダを介して各同期カプセルに対して選択することができる。
【００４４】
［１０５６］表３はＨＤＲシステムに従って、制御チャネルＭＡＣ層パケットのための制御チャネル（ＣＣ）ヘッダフォーマットをリストアップする。同期カプセルフィールドは制御チャネルＭＡＣ層パケットが同期カプセルのためのものか非同期カプセルのためのものかどうかを示す１ビットを含む。フィールドは同期カプセル内の第１のパケットに対してイチ（”１”）に設定され、そうでなければゼロ（”０”）に設定される。最後のパケットフィールドはカプセル内の最後のパケットに対して（”１”）に設定され、そうでなければゼロに設定される１ビットを含む。オフセットフィールドは同期カプセルのパケットの送信のために使用されるスロットオフセットを示す２ビットを含む。同期カプセル内の第１のパケットのためのフィールドは指定されたスロットオフセット（すなわち、０、１、２、または３）に設定され、他のパケット（もしあれば）に対してゼロに設定される。
【表３】
2004531124.tif 000005
［１０５７］図７に示すインターレースされた送信スキームは互い違いにされた送信スキームを実施するために使用することができる。それにより、他のセルに対する干渉を低減するために、セルは送信のための異なるスロット位相に割当てられる。図７に示す例の場合、タイムスロットｎ、ｎ＋１、ｎ＋２およびｎ＋３はそれぞれ位相０、１、２、および３に関連することができる。セルは、特定の時間期間、これらの４つの位相のゼロ以上に送信するために割当てることができる。位相は、例えば、低減したいと所望する干渉量、セルにより要求される送信容量、等のような種々の要因に基づいて割当てることができる。
【００４５】
［１０５８］アクセス端末には互い違いにするパターンのシステムパラメータメッセージ、すなわち、特定のタイムスロットに送信することを許容されたセル／セクタのセットを用いて知らせることができる。この情報は、次回のスロットで送信することのできるデータレートを予測するために使用されるＣ／Ｉ比を予測する際に、アクセス端末が空であるセルからの干渉を排除することができるであろう。これは、より高いレートでデータを送信するためにアクセス端末が低減された干渉をうまく利用することを可能にするであろう。
【００４６】
［１０５９］この発明の時分割送信スキーム（および時分割送信スキームの一変形例である互い違い送信スキーム）は、周波数再使用係数が低い（例えばＫ＝１）のとき、特に利点がある。この送信スキームは種々のアプリケーションおよびシナリオに対して使用することができる。そのうちのいくつかを以下に記載する。
【００４７】
［１０６０］１つのアプリケーションにおいて、時分割送信スキームは特定のデータレートにおける送信をサポートするために使用される。例えば、システム内のセルのための制御チャネルは、公称的に７６．８ｋｂｐｓデータレートで動作することができる。干渉量が特定のセルにおいて過剰でありこのデータレートをサポートしないなら、このセルのための制御チャネルはより低い３８．４ｋｂｐｓデータレートで送信することができる。そして干渉量がこのデータレートのためのこのセルにおいて依然として過剰であるなら、１つ以上の干渉セルがこの制御チャネルのためのこのセルに割当てられた位相を送信することを防止することができる。干渉量を低減することにより、送信されたデータレートに対して、必要な信号品質を達成することができる。この場合に、時分割送信スキームは、干渉量を低減するために、指定されたタイムスロットにおいて、１つ以上のセルを空にするために使用される。セルの空白化は最も低いシステムデータレート（例えば３８．４ｋｂｐｓ）での送信をサポートするために特に利点がある。これは、そうでなければ可能でないかもしれない。
【００４８】
［１０６１］セルの空白化は種々の方法で達成することができる。例えば、特定の損害を与えるセルには、物理層パケットの送信のための特定の位相（例えば位相０）を割当てることができ、干渉しているセルは、この位相で送信することを防止することができる。他のセルの残りの位相（すなわち、位相１、２、および３）で送信することができるが、損害を与えられたセルに割当てられた位相で送信することはできない。セルの空白化はパケットを送信するために必要な時間分適用することができ、または延長された時間適用することができる（例えば、動作条件が改良するまで、またはセル空白化が他の理由によりもはや所望されなくなるまで）。
【００４９】
［１０６２］もう一つのアプリケーションにおいて、時分割送信スキームはより高いデータレートで送信をサポートするために使用される。干渉しているセルが送信するのを防止することにより、（特に、セル境界において、またはその付近における）干渉は実質的に低減され、より高いデータレートを支持することができる。例えば、特定のセルにおける干渉量が７６．８ｋｂｐｓのデータレートを支持するなら、干渉を低減することは、１５３．６ｋｂｐｓ、３０７．２ｋｂｐｓ、またはおそらくさらに高いデータレートでの送信を可能にするかもしれない。
【００５０】
［１０６３］図９はより高いデータレートを得るために、互い違いにされた送信スキームのいくつかの実施例を示す図である。図９の上部において、互い違いにすることは実行されず、セル１乃至４は同じ位相（例えば位相０）で物理層パケットを送信する。７６．８ｋｂｐｓデータレートの場合、パケットは８タイムスロットにわたって送信される。残りの位相（例えば、位相１，２、および３）はトラヒックチャネルおよび／または他のチャネルに対してパケットを送信するために使用することができる。
【００５１】
［１０６４］１５３．６ｋｂｐｓのより高いデータレートを支持するために、セルは２つの位相（例えば位相０および１）で送信を互い違いに動作するように操作することができる。図示された例の場合、セル１および３は位相０で送信するように指定され、セル２および４は位相１で送信するように指定される。１５３．６ｋｂｐｓデータレートにおいて、パケットは４つのタイムスロットにわたって送信される。
【００５２】
［１０６５］３０７．２ｋｂｐｓのより高いデータレートを送信するために、セルは、すべての４つの位相（すなわち、位相０、１、２および３）で送信を互い違いにするように動作させることができる。図示例の場合、セル１乃至４はそれぞれ位相０乃至３で送信するように指定される。３０７．２ｋｂｐｓデータレートにおいて、パケットは２つのタイムスロットに渡って送信される。
【００５３】
［１０６６］図９に示すように、互い違いにする量はサポートされるデータレートに一致させることができる。より高いデータレートでサポートするために、さらに多くの互い違いが必要となるかもしれず、さらに多くのセルをブランクにする必要があるかもしれない。
【００５４】
［１０６７］さらにもう一つのアプリケーションにおいて、時分割送信スキームは、可変レート制御チャネルをサポートするために使用される。図９に示す例の場合、セルは、図示する３つのデータレートのいずれか１つで制御チャネルを送信するように動作することができる。上述しかつ表２にリストアップしたように、各データレートのためのプリアンブルは固有の長さを有し、アクセス端末は、プリアンブルを処理することによりパケットのデータレートを決定するようにすることができる。
【００５５】
［１０６８］さらに他のアプリケーションにおいて、時分割送信スキームは、（相対的に）高いデータレート（例えば、３００ｋｂｐｓ以上）で動作することのできるブロードキャストチャネルまたはその他のシグナリングチャネル（例えば、ページングチャネル）をサポートするために干渉を低減するために使用することができる。一実施において、ブロードキャストチャネルのために多数のタイムスロットを取っておくことができる。これらのタイムスロットは、周期的にまたは確定的に選択することができる。例えば、図９に示すように、特定の時間毎に（例えば、２５６タイムスロットの制御チャネルサイクルごとに）ブロードキャストチャネルのために８つの連続するタイムスロットを取っておくことができる。残りのタイムスロットはセルの空白化を有してまたはセルの空白化無しで、他の送信のために使用することができる。高データレートブロードキャストチャネルは、アクセス端末がより迅速にメッセージを受信することを可能にする。なぜならば、チャネルは、より高いデータレートに対してより少ない数のタイムスロットで送信されるからである。これはある利点を供給することができる。
【００５６】
［１０６９］さらに他のアプリケーションにおいて、時分割送信スキームは、損害を与えられたアクセス端末への送信をサポートするために使用される。セル境界またはセル境界付近に位置するアクセス端末における干渉は大きいかもしれない。例えば、図１のアクセス端末１０６ｄにおける信号品質は質が悪いかもしれず、干渉の大半は、隣接セル１０４ｃからのものであるかもしれない。主な干渉者（例えば、セル１０４ｃ）のアイデンティティが周知であれば、これらのセルからの送信は、損害が与えられたアクセス端末への送信の期間空白化することができる。この場合、他のセルが送信することを許容しながら、限られた数の干渉するセルからの送信を空白化するだけでよいかもしれない。損害を与えられたアクセス端末への送信が完了すると、空白化されたセルは、送信を再開することが可能となるかもしれない。
【００５７】
［１０７０］上記記載は、時分割送信スキームのためのいくつかのアプリケーションを簡単に記載する。この送信スキームはまた他のアプリケーションに対しても使用することができ、この発明の範囲内である。
【００５８】
［１０７１］時分割送信スキーム（および互い違いにされた送信スキーム）は「時間再使用」スキームを実施するために使用することができる。「時間再使用」スキームは、周波数再使用スキームに匹敵する性能を供給することができる。しかしながら、時間再使用スキームは、多くの利点を供給する。例えば、時間再使用ファクタは（例えば、システムの動作条件と必要性に基づいて）柔軟に選択することができ、さらに所望の結果を得るために動的に調節することができる。さらに、時分割送信スキームを適用するための時間分も柔軟に選択可能である。一例として、タイムスロットは統計的に選択することができ、システムによりセルに割当てることができる。
【００５９】
［１０７２］図１０はこの発明の時分割送信スキームを実施することのできる順方向リンクアーキテクチャのブロック図である。このアーキテクチャはＨＤＲシステムに採用される。送信データプロセッサ１０１０内において、順方向トラヒックチャネルまたは制御チャネルのための物理層パケットはエンコーダー１０１２により符号化され、スクランブラー１０１６からのスクランブリングシーケンスを用いて（モジュロー２）加算器１０１４によりスクランブルされる。各パケットに対するスクランブルされたビットは次にチャネルインターリーバー１０１８によりインターリーブされる。そして、インターリーブされたビットは特定の変調フォーマット（例えば、ＱＰＳＫ、８−ＰＳＫまたは１６−ＱＡＭ）を用いて変調器１０２０により変調される。特定変調フォーマットはそのパケットのために使用されるデータレートに基づいて選択される。変調器１０２０は各パケットのための複素データ変調記号の系列（例えば２５６０）を供給する。
【００６０】
［１０７３］データ変調記号は、ブロック１０２２において、反復されおよび／またはパンクチュアドされ、表１にリストアップするように変調記号の必要な数を得る。複素変調記号は次に、デマルチプレクサー１０２４により１６対の同相（Ｉ）および直交（Ｑ）チャネルに逆多重化される。各同相チャネルおよび直交チャネル内の変調記号はカバラー(coverer)１０２６により各１６進ウオルシュカバーを用いてカバーされ、利得エレメント１０２８により倍率がかけられる。１６同相チャネルからの倍率のかけられたウオルシュ記号は一緒に加算され、Ｉ記号ストリームを形成し、そして１６直交チャネルからの倍率のかけられたウオルシュ記号も一緒に加算されてＱシンボル記号を形成する。Ｉ記号ストリームおよびＱ記号ストリームはそれぞれ時分割マルチプレクサ（ＴＤＭ）１０３２の第１のセットのＩ入力およびＱ入力に供給される。
【００６１】
［１０７４］パケットに対するプリアンブルデータ（すべてゼロの系列）は信号マッピング素子１０４２によりマッピングされ（例えば”０”→＋１、および”１”→−１）、そしてさらに、特定の３２ビット陪直交系列を用いてカバラー１０４４によりカバーされる。この３２ビット系列は、パケットを送信するために使用される特定の制御（またはトラヒック）チャネルに割当てられたＭＡＣインデックスを有する。次に、３２ビットのカバーされた系列はブロック１０４６において、何度も反復される。反復の回数はプリアンブルの長さに基づく。プリアンブルの長さは表２に示すように、データレートに依存する。次に、プリアンブルはマルチプレクサ１０３２の第２Ｉ入力に供給される。
【００６２】
［１０７５］ＭＡＣ情報（すなわち、ビット反復素子１０５０により反復されるＲＰＣビットおよびＲＡビット）は信号マッピング素子１０５２によりマッピングされ、利得素子１０５４により倍率がかけられ、カバラー１０５６によりウオルシュカバーを用いてカバーされる。カバーされたＲＰＣとカバーされたＲＡは加算器１０５８により加算され、反復器１０６０により反復され、マルチプレクサ１０３２の第３のセットのＩ入力およびＱ入力に供給される。
【００６３】
［１０７６］パイロットデータは信号マッピング素子１０６２によりマッピングされ、カバラー１０６４によりゼロウオルシュカバーを用いてカバーされ、マルチプレクサ１０３２の第４のＩ入力に供給される。
【００６４】
［１０７７］コントローラ１０７０は適切な制御信号をマルチプレクサ１０３２に供給し、図４に示すスロットを発生し、およびそれぞれ３８．４ｋｂｐｓおよび７６．８ｋｂｐｓに対する図６Ａおよび６Ｂに示す送信フォーマットを発生する。コントローラ１０７０はさらに、送信が防止（すなわち、空白化）される各タイムスロットに対してマルチプレクサ１０３２によりアイドルスロットが発生されるように、制御信号を供給する。
【００６５】
［１０７８］明確にするために、時分割送信スキーム発明の種々の観点と実施の形態について、特にＨＤＲシステム内の制御チャネルに対して記載した。時分割送信スキームは、トラヒックチャネルおよび他のタイプのチャネルに対しても使用することができる。例えば、トラヒックチャネルを介して、損害を与えられたアクセス端末へのデータ送信は、主な干渉するセルを空白化することにより達成することができる。他の例として、より高いデータレートでのデータ送信は、１つ以上の干渉するセルを空白化し、より高いデータレートのために必要とされる信号品質を得ることにより可能である。時分割送信スキームは、また他の無線通信システム（例えば、Ｗ−ＣＤＭＡシステムのような他の（同期および非同期）ＣＤＭＡシステム）に対して使用することができる。
【００６６】
［１０７９］  好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【図面の簡単な説明】
【００６７】
【図１】［１０１４］図１は多数のユーザをサポートし、この発明の種々の観点を実施することができる無線通信システムの図である。
【図２Ａ】［１０１５］図２Ａはセルがそれぞれ１、３、および７の周波数再使用係数で動作される通信システムの図である。
【図２Ｂ】［１０１５］図２Ｂはセルがそれぞれ１、３、および７の周波数再使用係数で動作される通信システムの図である。
【図２Ｃ】［１０１５］図２Ｃはセルがそれぞれ１、３、および７の周波数再使用係数で動作される通信システムの図である。
【図３】［１０１６］図３は同じ周波数バンドで動作しているセルからの干渉量を低減するために使用することができる互い違い送信スキームの一実施の形態のタイミング図である。
【図４】［１０１７］図４はＨＤＲシステムにより定義される送信フォーマットの図である。
【図５】［１０１８］図５は、制御チャネルＭＡＣ層パケットの一実施の形態の図である。
【図６Ａ】［１０１９］図６Ａは、ＨＤＲシステムに従って、それぞれ３８．４ｋｂｐｓおよび７６．８ｋｂｐｓデータレートに対してスロットを形成するために、パケットデータ、プリアンブル、パイロット、およびＭＡＣの時分割多重化を示す図である。
【図６Ｂ】［１０１９］図６Ｂは、ＨＤＲシステムに従って、それぞれ３８．４ｋｂｐｓおよび７６．８ｋｂｐｓデータレートに対してスロットを形成するために、パケットデータ、プリアンブル、パイロット、およびＭＡＣの時分割多重化を示す図である。
【図７】［１０２０］図７はこの発明の時分割送信スキームを実施するために使用することができるマルチスロットインターレースパケット(multi-slot interlaced packet)送信スキームの図である。
【図８】［１０２１］図８は制御チャネルのための送信の一実施の形態のタイミング図である。
【図９】「１０２２］図９は、より高いデータレートを得るために互い違い送信スキームのいくつかの実施例を示す図である。
【図１０】［１０２３］図１０はこの発明の時分割送信スキームを実施することができる順方向リンクアーキテクチャのブロック図である。
【図１】
2004531124.tif 000006
【図２Ａ】
2004531124.tif 000007
【図２Ｂ】
2004531124.tif 000008
【図２Ｃ】
2004531124.tif 000009
【図３】
2004531124.tif 000010
【図４】
2004531124.tif 000011
【図５】
2004531124.tif 000012
【図６Ａ】
2004531124.tif 000013
【図６Ｂ】
2004531124.tif 000014
【図７】
2004531124.tif 000015
【図８】
2004531124.tif 000016
【図９】
2004531124.tif 000017
【図１０】
2004531124.tif 000018
【国際公開パンフレット】
2004531124.tif 000019
2004531124.tif 000020
2004531124.tif 000021
2004531124.tif 000022
2004531124.tif 000023
2004531124.tif 000024
2004531124.tif 000025
2004531124.tif 000026
2004531124.tif 000027
2004531124.tif 000028
2004531124.tif 000029
2004531124.tif 000030
2004531124.tif 000031
2004531124.tif 000032
2004531124.tif 000033
2004531124.tif 000034
2004531124.tif 000035
2004531124.tif 000036
2004531124.tif 000037
2004531124.tif 000038
2004531124.tif 000039
2004531124.tif 000040
2004531124.tif 000041
2004531124.tif 000042
2004531124.tif 000043
2004531124.tif 000044
2004531124.tif 000045
2004531124.tif 000046
2004531124.tif 000047
2004531124.tif 000048
2004531124.tif 000049
2004531124.tif 000050
2004531124.tif 000051
2004531124.tif 000052
2004531124.tif 000053
2004531124.tif 000054
2004531124.tif 000055
【国際公開パンフレット（コレクトバージョン）】
2004531124.tif 000056
2004531124.tif 000057
【国際調査報告】
2004531124.tif 000058
2004531124.tif 000059
2004531124.tif 000060